(57)【要約】      （修正有）【課題】金属板を用いた携帯電話機用カバーであって、ＩＣカードを収容することができ、かつ、携帯電話機用カバーから取り出すことなくＩＣカードを使用することができる携帯電話機用カバーを提供する。【解決手段】平板形状の携帯電話機に着脱可能に取り付けられる携帯電話機用カバー１において、携帯電話機の背面に対向する平板形状のメインプレート１０を備え、メインプレート１０は、貫通孔が形成された金属板と、電磁波を透過する材料からなり、貫通孔を閉塞する閉塞部材とを有し、メインプレート１０の内面には、ＩＣカードを収容するためのカード収容部１２が貫通孔と対応する位置に形成されている。【選択図】図１
0003199922.tif 000002
【実用新案登録請求の範囲】
【請求項１】
平板形状の携帯電話機に着脱可能に取り付けられる携帯電話機用カバーにおいて、
上記携帯電話機の背面に対向するメインプレートを備え、
上記メインプレートは、貫通孔が形成された金属板と、
電磁波を透過する材料からなり、上記貫通孔を閉塞する閉塞部材とを有し、
上記メインプレートの内面には、非接触式ＩＣカードを収容するための凹部が上記貫通孔と対応する位置に形成されていることを特徴とする携帯電話機用カバー。
【請求項２】
上記携帯電話機の側面を挟持する互いに対向する一対のサイドウォールを備え、
上記サイドウォールは、上記金属板の対向する端辺をそれぞれ屈曲させた一対の対向部をそれぞれ有し、前後方向の幅が上記携帯電話機の厚さよりも短く、上記携帯電話機の側面に弾性的に接触することを特徴とする請求項１に記載の携帯電話機用カバー。
【請求項３】
上記閉塞部材は、上記貫通孔に挿入される挿入部を有し、当該挿入部の外周面が上記貫通孔の内周面と対向し、上記金属板上における上記閉塞部材の位置決めが行われることを特徴とする請求項１又は２に記載の携帯電話機用カバー。
【請求項４】
上記閉塞部材は、上記メインプレートと平行な鍔部を有し、当該鍔部は、上記金属板の内面と対向することを特徴とする請求項３に記載の携帯電話機用カバー。
【考案の詳細な説明】
【技術分野】
【０００１】
本考案は、携帯電話機用カバーに係り、更に詳しくは、非接触式ＩＣカードを保持可能な携帯電話機用カバーに関する。
【背景技術】
【０００２】
携帯電話機に着脱可能に装着される携帯電話機用カバーが従来から知られている。携帯電話機用カバーは、携帯電話機の表面の傷つきを防止し、あるいは、落下時の衝撃から携帯電話機を保護することを目的とするものであり、例えば、スマートホンの背面を覆う形状を有する。
【０００３】
この種の携帯電話機用カバーには、金属又は樹脂が用いられる場合が多い。一般に、安価な材料を使用して携帯電話機用カバーを作成する場合、樹脂製に比べて金属製の方がより薄く形成することができる。また、同一の厚さで比較すれば、金属製の方がより高い剛性を確保することができる。
【考案の概要】
【考案が解決しようとする課題】
【０００４】
携帯電話機は、着信応答する必要があることから、いつでも取り出すことができる状態で携帯される。このため、例えば、公共交通機関の定期券や電子マネーとして使用される非接触式ＩＣカードを携帯電話機とともに携帯すれば、このようなＩＣカードを忘れずに携帯することができ、また、必要なときに直ちに取り出すことができるので、利便性を向上させることができると考えられる。
【０００５】
そこで、携帯電話機用カバー内に非接触式ＩＣカードを収容することが考えられる。しかしながら、携帯電話機用カバーが金属製であれば、電磁波を透過せず、携帯電話機用カバー内に収容した状態で非接触式ＩＣカードを使用することができない。つまり、携帯電話機とともに、ポケットや鞄から非接触式ＩＣカードを直ちに取り出すことができるが、その後にリーダ／ライタ端末との間で通信を行おうとすれば、非接触式ＩＣカードを携帯電話機用カバーから取り出す必要があり、煩雑であるという問題があった。
【０００６】
本考案は、上記の事情に鑑みてなされたものであり、金属板を用いた携帯電話機用カバーであって、非接触式ＩＣカードを収容することができ、かつ、携帯電話機用カバーから取り出すことなく非接触式ＩＣカードを使用することができる携帯電話機用カバーを提供することを目的とする。
【課題を解決するための手段】
【０００７】
本考案の第１の態様による携帯電話機用カバーは、平板形状の携帯電話機に着脱可能に取り付けられる携帯電話機用カバーにおいて、上記携帯電話機の背面に対向するメインプレートを備え、上記メインプレートは、貫通孔が形成された金属板と、電磁波を透過する材料からなり、上記貫通孔を閉塞する閉塞部材とを有し、上記メインプレートの内面には、非接触式ＩＣカードを収容するための凹部が上記貫通孔と対応する位置に形成されている。
【０００８】
このような構成を採用することにより、携帯電話機用カバーを携帯電話機に取り付ければ、携帯電話機用カバーのメインプレートの内面に形成された凹部の開口が、携帯電話機の背面によって閉鎖される。このため、当該開口を閉鎖するための蓋部を設けなくても非接触式ＩＣカードを携帯電話機用カバー内に保持することができる。従って、携帯電話機用カバーの厚さが増大するのを抑制することができるとともに、製造コストを抑制することができる。
【０００９】
また、メインプレートを構成する金属板の貫通孔を閉塞する閉塞部材が、電磁波を透過する材料からなり、非接触式ＩＣカードを収容する凹部は上記貫通孔と対応する位置に形成される。このため、当該凹部に収容された状態で、非接触式ＩＣカードは、リーダ／ライタ端末との通信を行うことができる。
【００１０】
本考案の第２の態様による携帯電話機用カバーは、上記構成に加えて、上記携帯電話機の側面を挟持する互いに対向する一対のサイドウォールを備え、上記サイドウォールが、上記金属板の対向する端辺をそれぞれ屈曲させた一対の対向部をそれぞれ有し、前後方向の幅が上記携帯電話機の厚さよりも短く、上記携帯電話機の側面に弾性的に接触するように構成される。
【００１１】
このような構成を採用することにより、サイドウォールが携帯電話機の前面よりも前方に突出せず、携帯電話機用カバーを取り付けた携帯電話機の厚さを薄くすることができる。また、携帯電話機の前面を完全に露出させることができるため、携帯電話機の前面に対する操作性を阻害することがない。しかも、屈曲板が弾性変形することによりサイドウォールが携帯電話機の側面を弾性的に挟持するため、容易に脱落しないように携帯電話機に取り付けることができる。
【００１２】
また、本考案の第３の態様による携帯電話機用カバーは、上記構成に加え、上記閉塞部材が、上記貫通孔に挿入される挿入部を有し、当該挿入部の外周面が上記貫通孔の内周面と対向し、上記金属板上における上記閉塞部材の位置決めが行われるように構成される。
【００１３】
このような構成を採用することにより、貫通孔を利用して、金属板上における閉塞部材の位置決めを行うことができる。このため、携帯電話機用カバーの構成を簡略化することができるとともに、携帯電話機用カバーの組み立て作業を容易化することができる。
【００１４】
本考案の第４の態様による携帯電話機用カバーは、上記構成に加え、上記閉塞部材が、上記メインプレートと平行な鍔部を有し、当該鍔部が、上記金属板の内面と対向するように構成される。
【００１５】
このような構成を採用することにより、閉塞部材を金属板の内面側から貫通孔へ挿入すれば、鍔部が金属板の内面に接触し、閉塞部材の前後方向における位置決めを行うことができる。このため、携帯電話機用カバーの構成を簡略化することができるとともに、携帯電話機用カバーの組み立て作業を容易化することができる。
【考案の効果】
【００１６】
本考案によれば、金属板を用いた携帯電話機用カバーであって、非接触式ＩＣカードを収容することができ、かつ、携帯電話機用カバーから取り出すことなく非接触式ＩＣカードを使用することができる携帯電話機用カバーを提供することができる。
【図面の簡単な説明】
【００１７】
【図１】本考案の実施の形態による携帯電話機用カバー１の一構成例を示した外観図である。
【図２】図１のＡ−Ａ切断線により、携帯電話機用カバー１を切断したときの断面を示した断面図である。
【図３】図１のＢ−Ｂ切断線により、携帯電話機用カバー１を切断したときの断面を示した断面図である。
【図４】図１の携帯電話機用カバー１を携帯電話機３に取り付ける様子を示した斜視図である。
【図５】図１の携帯電話機用カバー１が取り付けられた携帯電話機３を示した図であり、図中の（ａ）が正面図、（ｂ）が左側面図である。
【図６】図１の携帯電話機用カバー１が取り付けられた携帯電話機３を示した背面図である。
【考案を実施するための形態】
【００１８】
本実施の形態では、携帯電話機の前面側を前方と呼び、背面側を後方と呼ぶことにする。また、携帯電話機の前面に正対したユーザから見た上下左右の各方向を上下左右と呼ぶことにする。
【００１９】
図１は、本考案の実施の形態による携帯電話機用カバー１の一構成例を示した外観図である。図中の（ａ）は正面図であり、（ｂ）は左側面図である。また、図２は、図１のＡ−Ａ切断線により、携帯電話機用カバー１を切断したときの断面を示した断面図（Ａ−Ａ断面図）である。図３は、図１のＢ−Ｂ切断線により、携帯電話機用カバー１を切断したときの断面を示した断面図（Ｂ−Ｂ断面図）である。
【００２０】
携帯電話機用カバー１は、携帯電話機３に着脱可能に取り付けられるカバーであり、携帯電話機３の表面の傷つきを防止し、あるいは、落下時の衝撃から携帯電話機３を保護する。携帯電話機用カバー１は、携帯電話機３の背面を覆うメインプレート１０と、携帯電話機３の側面を挟持する一対のサイドウォール１１とにより構成される。
【００２１】
＜メインプレート１０＞
メインプレート１０は、携帯電話機３の背面と対向する平板形状からなる。例えば、メインプレート１０は、切り欠き部１０Ｌを有する縦長の略矩形形状からなる。縦長の矩形形状は、携帯電話機３の背面の形状に対応し、切り欠き部１０Ｌは、携帯電話機３の背面に設けられたカメラレンズ等の位置に対応する。つまり、メインプレート１０は、カメラレンズ等を露出させつつ、携帯電話機３の背面の大部分を覆うことができる。また、メインプレート１０には、ＩＣカードを収容するためのカード収容部１２が形成されている。
【００２２】
＜サイドウォール１１＞
一対のサイドウォール１１は、メインプレート１０の幅方向（左右方向）の両端部をそれぞれ前方へ屈曲させることにより形成される。サイドウォール１１は、上下方向に延びる細長い形状からなり、携帯電話機３の側面と対向する。なお、サイドウォール１１は、メインプレート１０の上端から下端まで形成されてもよいが、その一部に形成されるものであってもよい。図示したサイドウォール１１は、メインプレート１０の下側の２／３程度に形成され、メインプレート１０の上端付近には形成されていない。
【００２３】
また、サイドウォール１１の断面は、前後方向の中央部が外方へ突出する湾曲形状からなり、その前端が、携帯電話機３の側面における前面近傍に接触する。このとき、サイドウォール１１は、携帯電話機３の側面によって外方に押し広げられるように弾性変形している。このため、サイドウォール１１は、携帯電話機３の側面に対し弾性的に接触し、容易に脱落しないように携帯電話機３を挟持する。
【００２４】
さらに、サイドウォール１１は、その前後方向の幅が携帯電話機３の厚さよりも短い。このため、サイドウォール１１の前端は、携帯電話機３の前面よりも後方に位置する。つまり、携帯電話機用カバー１は、携帯電話機３の前面を覆っておらず、また、携帯電話機３の前面よりも前方に突出することもない。このため、携帯電話機用カバー１によって、携帯電話機３の前面に対する操作性が損なわれることはない。また、携帯電話機用カバーが取り付けられた携帯電話機３の厚さを薄くすることができる。
【００２５】
＜カード収容部１２＞
カード収容部１２は、メインプレート１０の内面上に形成された略矩形の凹部であり、その内部にＩＣカード４を収容することができる。つまり、カード収容部１２は、ＩＣカード４よりもやや大きな略矩形の平面形状を有し、ＩＣカード４の厚さよりもやや大きな深さを有する。カード収容部１２は、メインプレート１０の内面に開口を有し、その底部の背面は、メインプレート１０の背面よりも後方に配置されている。このため、メインプレート１０の外面には、カード収容部１２に対応する略矩形の凸部が形成されている。カード収容部１２の開口は、携帯電話機３の背面によって閉鎖されるため、カード収容部１２の開口を閉鎖するための蓋部は設けられていない。
【００２６】
次に、携帯電話機用カバー１を構成する各部材について、図２及び図３を参照して説明する。携帯電話機用カバー１は、金属板２０、閉塞部材２１及び外装部材２２により構成される。
【００２７】
＜金属板２０＞
金属板２０は、メインプレート１０及び一対のサイドウォール１１からなる形状と略同一の外形を有する。つまり、金属板２０は、メインプレート１０に相当する平板部と、一対のサイドウォール１１に相当し、平板部よりも外側を折り曲げて形成された一対の対向部とにより構成される。また、金属板２０には、携帯電話機３の背面に対向する位置に貫通孔２０ｈが形成されている。貫通孔２０ｈの位置及び形状は、カード収容部１２に対応している。
【００２８】
メインプレート１０及びサイドウォール１１を金属板２０で構成することにより、薄くて剛性の高い携帯電話機用カバー１を製作することができる。例えば、金属板２０として、形状記憶合金（ＳＭＡ：Shape Memory Alloy）を用いれば、塑性変形した場合であっても、変態点まで加熱することにより元の形状に戻すことができる。
【００２９】
＜閉塞部材２１＞
閉塞部材２１は、金属板２０の内側から貫通孔２０ｈに挿入され、貫通孔２０ｈを閉鎖する部材である。閉塞部材２１は、貫通孔２０ｈを閉鎖する底部２１０と、底部２１０を取り囲んで前方へ延びる壁部２１１と、壁部２１１の前端から外方へ延びる鍔部２１２とにより構成される。底部２１０及び壁部２１１は、貫通孔２０ｈに挿入される挿入部２１ｉを構成する。当該挿入部２１ｉを貫通孔２０ｈに挿入すれば、鍔部２１２が金属板２０に接触し、閉塞部材２１の位置決めが行われる。閉塞部材２１には、電磁波を透過することができる非金属材料、例えば、樹脂が用いられる。ここでは、ＡＢＳ樹脂の成形品が閉塞部材２１として用いられるものとする。
【００３０】
閉塞部材２１の底部２１０は、平板形状からなり、カード収容部１２に対応する略矩形の平面形状を有し、メインプレート１０と平行に配置される。また、底部２１０の形状及び位置は、貫通孔２０ｈに対応している。
【００３１】
壁部２１１は、前後方向に延びる筒形状を有し、その後端が底部２１０と連結され、その前端が鍔部２１２と連結されている。壁部２１１の外面は、貫通孔２０ｈの内周面と対向する。閉塞部材２１を貫通孔２０ｈ内に挿入すれば、壁部２１１の外面が貫通孔２０ｈの内面と接触し、金属板２０と平行な方向（上下左右の方向）について閉塞部材２１の位置決めが行われる。
【００３２】
鍔部２１２は、壁部２１１の前端から外方に延びる平板形状からなり、その平面形状は貫通孔２０ｈの開口を取り囲む環状形状からなる。鍔部２１２の背面は、金属板２０の内面と対向する。閉塞部材２１を貫通孔２０ｈ内に挿入すれば、鍔部２１２の背面が金属板２０における貫通孔２０ｈの周縁部と接触し、金属板２０と交差する方向（前後方向）について閉塞部材２１の位置決めが行われる。
【００３３】
＜外装部材２２＞
外装部材２２は、携帯電話機用カバー１の外面全体を覆っている。つまり、外装部材２２は、金属板２０の外面上及び閉塞部材２１の底部２１０の背面上に形成されている。また、閉塞部材２１の前面を残して、携帯電話機用カバー１の内面を覆っている。つまり、金属板２０の内面上に形成されている。例えば、金属板２０の各端辺を回り込むように、金属板２０の前面及び背面に貼り付けられる。さらに、外装部材２２は、閉塞部材２１の鍔部２１２と略同一の厚さを有し、外装部材２２の端部を鍔部２１２の端部近傍に設けている。外装部材２２の端部と、鍔部２１２の端部とを突き合わせるように配置することにより、携帯電話機用カバー１の内面に大きな段差が生じないようにしている。外装部材２２には、電磁波を透過する材料が用いられる。また、肌触りや衝撃吸収性が良好な材料を用いることが望ましい。例えば、ポリウレタン製の合成皮革が外装部材２２として用いられる。
【００３４】
図４は、図１の携帯電話機用カバー１を携帯電話機３に取り付ける様子を示した斜視図である。図５及び図６は、図１の携帯電話機用カバー１が取り付けられた携帯電話機３の外観を示した図である。図５（ａ）は正面図、図５（ｂ）は左側面図、図６は背面図である。
【００３５】
＜携帯電話機３＞
携帯電話機３は、いわゆるスマートホンであり、平板形状の筐体を有する。筐体の前面及び背面は、いずれも縦長の略矩形からなる。筐体の前面には、タッチパネル３１、操作ボタン３２及びレシーバ３３が配置されている。タッチパネル３１は、筐体の前面の大部分を占めている。また、操作ボタン３２及びレシーバ３３は、タッチパネル３１を挟んで、筐体前面の長手方向の端部にそれぞれ配置されている。筐体の背面には、右上の角部付近にカメラレンズ３４及びフラッシュ３５が配置されている。カメラレンズ３４及びフラッシュ３５は、携帯電話機用カバー１が取り付けられた状態で、切り欠き部１０Ｌから露出する。
【００３６】
上記筐体の側面は、前後方向の中央部が外方に突出する湾曲形状からなる。つまり、筐体の側面は、筐体に前面近傍において内方へ傾斜する傾斜部を有し、当該傾斜部にサイドウォール１１が接触する。
【００３７】
＜ＩＣカード４＞
ＩＣカード４は、リーダ／ライタ端末（不図示）との間で無線通信を行うことができる非接触式ＩＣカードである。例えば、公共交通機関の定期券や電子マネーとして使用される決済用のＩＣカードである。
【００３８】
＜取り付け方法＞
次に、携帯電話機用カバー１の携帯電話機３に対する取り付け方法について説明する。携帯電話機用カバー１は、携帯電話機３に対し、相対的に縦方向にスライドさせることによって取り付けられる。例えば、携帯電話機３の下端を一対のサイドウォール１１の間に上方から挿入し、そのまま携帯電話機３を下方にスライドさせることにより、携帯電話機用カバー１を携帯電話機３に取り付けることができる。
【００３９】
携帯電話機用カバー１を携帯電話機３に取り付けることにより、サイドウォール１１は幅方向（左右方向）の外方へ弾性変形している状態となり、携帯電話機３がサイドウォール１１によって弾性的に挟持される。また、サイドウォール１１の先端付近は、携帯電話機３の筐体側面上であって内側に向かって傾斜する前面近傍に接触する。このため、携帯電話機用カバー１は、携帯電話機３の前面を覆うことなく、携帯電話機３を銜え込むように取り付けられる。このため、携帯電話機用カバー１は、携帯電話機３に対し、着脱可能に取り付けられ、かつ、容易に脱落することはない。さらに、サイドウォール１１の前後方向の幅が携帯電話機３の厚さよりも短いため、サードウォール１１の前端が携帯電話機３の前面よりも前方に突出せず、携帯電話機用カバー１によって、携帯電話機３の前面に対する操作性が損なわれることがない。
【００４０】
携帯電話機用カバー１のカード収容部１２内には予めＩＣカード４が収容されている。ＩＣカード４は、メインプレート１０の内面を鉛直上方に向けた状態でカード収容部１２に挿入される。この状態の携帯電話機用カバー１に対し、携帯電話機３を挿入すれば、カード収容部１２の開口が携帯電話機３の背面によって閉鎖される。このため、携帯電話機用カバー１を携帯電話機３から取り外すまでＩＣカード４が携帯電話機用カバー１から脱落することはない。
【００４１】
カード収容部１２に収容されたＩＣカード４は、その前面が携帯電話機３の背面と対向し、その背面が閉塞部材２１の内面と対向する。つまり、ＩＣカード４は、金属板２０の貫通孔２０ｈ内に配置されており、ＩＣカード４の背面は、閉塞部材２１及び外装部材２２で覆われているが、金属板２０で覆われていない。このため、ＩＣカード４は、カード収容部１２内に収容された状態で、後方に対し電磁波を送受信することができ、後方に位置するリーダ／ライタ端末との間で通信を行うことができる。
【００４２】
従って、ＩＣカード４を収容した携帯電話機用カバー１を携帯電話機３に装着しておけば、ポケットや鞄から携帯電話機３を取り出し、その背面側をリーダ／ライタ端末に近づけるだけでＩＣカードを利用して決済などを行うことができる。
【００４３】
本実施の形態による携帯電話機用カバー１は、平板形状の携帯電話機３に着脱可能に取り付けられる携帯電話機用カバーであって、携帯電話機３の背面に対向するメインプレート１０を備えている。メインプレート１０は、貫通孔２０ｈが形成された金属板２０と、電磁波を透過する材料からなり、貫通孔２０ｈを閉塞する閉塞部材２１とを有し、メインプレート１０の内面には、ＩＣカード４を収容するための凹部としてのカード収容部１２が貫通孔２０ｈと対応する位置に形成されている。
【００４４】
この様な構成を採用することにより、携帯電話機用カバー１を携帯電話機３に装着すれば、メインプレート１０の内面に形成されたカード収容部１２の開口が、携帯電話機３の背面によって閉鎖される。このため、開口を閉鎖するための蓋部を設けることなくＩＣカード４を携帯電話機用カバー１内に保持することができる。従って、携帯電話機用カバー１の厚さが増大するのを抑制することができるとともに、製造コストを抑制することができる。
【００４５】
また、閉塞部材２１が、電磁波を透過する材料からなり、カード収容部１２が貫通孔２０ｈと対応する位置に形成される。このため、カード収容部１２に収容された状態で、ＩＣカード４は、リーダ／ライタ端末との通信を行うことができ、利便性を向上させることができる。
【００４６】
また、本実施の形態による携帯電話機用カバー１は、携帯電話機３の側面を挟持する互いに対向する一対のサイドウォール１１を備え、一対のサイドウォール１１が、金属板２０の端辺を屈曲させた一対の対向部を有し、前後方向の幅が上記携帯電話機の厚さよりも短く、上記携帯電話機の側面に弾性的に接触するように構成される。
【００４７】
このような構成を採用することにより、サイドウォール１１が携帯電話機３の前面よりも前方に突出せず、携帯電話機用カバー１を取り付けた携帯電話機３の厚さを薄くすることができる。また、携帯電話機３の前面を完全に露出させ、携帯電話機３の前面に対する操作性を阻害することがない。しかも、金属板２０の対向部が弾性変形することによりサイドウォール１１が携帯電話機３の側面を弾性的に挟持するため、容易に脱落しないように携帯電話機３に取り付けることができる。
【００４８】
また、本実施の形態による携帯電話機用カバー１は、閉塞部材２１が、貫通孔２０ｈに挿入される挿入部２１ｉを有し、当該挿入部２１ｉの外周面が貫通孔２０ｈの内周面と対向し、金属板２０上における閉塞部材２１の位置決めが行われるように構成される。
【００４９】
このような構成を採用することにより、貫通孔２０ｈを利用して、金属板２０上における閉塞部材２１の位置決めを行うことができる。このため、携帯電話機用カバー１の構成を簡略化することができるとともに、携帯電話機用カバー１の組み立て作業を容易化することができる。
【００５０】
また、本実施の形態による携帯電話機用カバー１は、閉塞部材２１が、メインプレート１０と平行な鍔部２１２を有し、当該鍔部２１２は、金属板２０の内面と対向するように構成される。
【００５１】
このような構成を採用することにより、閉塞部材２１を金属板２０の内面側から貫通孔２０ｈへ挿入すれば、鍔部２１２が金属板２０の内面に接触し、閉塞部材２１の前後方向における位置決めを行うことができる。このため、携帯電話機用カバー１の構成を簡略化することができるとともに、携帯電話機用カバー１の組み立て作業を容易化することができる。
【００５２】
本実施の形態では、携帯電話機用カバー１がスマートホン用カバーである場合の例について説明したが、本考案は、このような場合のみに限定されない。すなわち、平板形状の筐体を有する携帯電話機に用いられるカバーであればよく、いわゆるフィーチャーホン用カバーであってもよい。
【００５３】
また、本実施の形態では、携帯電話機１の幅方向（左右方向）にサイドウォール１１を有し、上下方向にスライドさせて取り付けられる携帯電話機用カバー１の例について説明したが、本考案は、この様な場合のみに限定されない。例えば、携帯電話機１の上下方向にサイドウォール１１を有し、左右方向にスライドさせて取り付けられる携帯電話機用カバー１にも本考案を適用することができる。
【符号の説明】
【００５４】
１      携帯電話機用カバー
１０    メインプレート
１０Ｌ  切り欠き部
１１    サイドウォール
１２    カード収容部
２０    金属板
２０ｈ  貫通孔
２１    閉塞部材
２１０  底部
２１１  壁部
２１２  鍔部
２１ｉ  挿入部
２２    外装部材
３      携帯電話機
３１    タッチパネル
３２    操作ボタン
３３    レシーバ
３４    カメラレンズ
３５    フラッシュ
４      ＩＣカード
【図１】
0003199922.tif 000003
【図２】
0003199922.tif 000004
【図３】
0003199922.tif 000005
【図４】
0003199922.tif 000006
【図５】
0003199922.tif 000007
【図６】
0003199922.tif 000008